(57)【要約】【課題】  手袋体によって確実な防寒機能・グリップ機能が得られると共に、手袋体不使用時（収納時）の体裁も良好となる実用性に秀れた手袋付衣服を提供すること。【解決手段】  衣服体１の袖部10に沿設状態にして収納袋部２を設け、この収納袋部２内に、少なくとも手全体を被覆し得る手袋体３を出し入れ自在に収納配設すると共に、この手袋体３は衣服体１の袖部10若しくは収納袋部２に対して連設状態に設け、この収納袋部２より取り出した手袋体３を、前記袖部10に通して袖口10Ａから露出する手に装着できるように構成する。【選択図】      図３
2005226185.tif 000002
【特許請求の範囲】
【請求項１】
衣服体の袖部に沿設状態にして収納袋部を設け、この収納袋部内に、少なくとも手全体を被覆し得る手袋体を出し入れ自在に収納配設すると共に、この手袋体は衣服体の袖部若しくは収納袋部に対して連設状態に設け、この収納袋部より取り出した手袋体を、前記袖部に通して袖口から露出する手に装着できるように構成したことを特徴とする手袋付衣服。
【請求項２】
前記収納袋部を前記袖部の手甲側に設けると共に、この収納袋部の開口部を袖部の袖口近傍に設けて、この収納袋部の収納奥側が袖部の付け根側に配置する構成とし、前記手袋体の裾部の手甲側部を、袖部の手甲側部若しくは収納袋部と連設したことを特徴とする請求項１記載の手袋付衣服。
【請求項３】
前記収納袋部の開口部を開閉自在に構成し、開放したこの開口部を介して収納袋部より前記手袋体を出し入れし得るように構成したことを特徴とする請求項１，２のいずれか１項に記載の手袋付衣服。
【請求項４】
前記手袋体又は、手袋体と前記衣服体の袖部若しくは前記収納袋部との連設部を、伸縮性を有する構成としたことを特徴とする請求項１〜３のいずれか１項に記載の手袋付衣服。
【請求項５】
前記手袋体を、前記衣服体の袖部若しくは前記収納袋部に対して着脱可能とする着脱手段を備えたことを特徴とする請求項１〜４のいずれか１項に記載の手袋付衣服。
【発明の詳細な説明】
【技術分野】
【０００１】
本発明は、例えば、防寒着として使用される手袋付衣服に関するものである。
【背景技術】
【０００２】
従来から、長袖の袖口に手袋を一体に設けると共に、この手袋を袖口の外面に収納できる手袋付衣類が提案されており（特許文献１参照。）、このような手袋付衣類によれば、必要に応じて手袋を使用できるだけでなく、不要時には手袋を袖口に収納しておくことができるために、衣服と別個に手袋を携帯する煩わしさや、手袋紛失の問題を解消できる。
【０００３】
【特許文献１】特開２０００−２８２３１０号公報
【発明の開示】
【発明が解決しようとする課題】
【０００４】
ところが、この先願は、袖口に設けられた手袋の先端部或いは掌や甲の中程に開口部を有し、この開口部から手袋を手首側へめくり返すようにすることで袖口に手袋が収納される構成のため、この手袋先端部或いは中程の開口部から冷気や水などが入り易く、手袋としての防寒（防水）機能が損なわれてしまっており、また、特に開口部が掌側にある場合には手袋のグリップ力が損なわれてしまう。
【０００５】
また、この先願構造によると、手袋収納時には、手袋が袖口の外側面に外付け状態で露出しているため、決して見栄えの良いものではなかった。
【０００６】
本発明は、このような現状に鑑み、これを解決するためのもので、手袋体が確実な防寒機能・グリップ機能を発揮でき、しかも、手袋体を衣服体の袖部に沿設状態に設けた収納袋部に出し入れ自在に収納する構成とすることで、手袋体不使用時（収納時）の体裁も良好となる画期的な手袋付衣服を提供するものである。
【課題を解決するための手段】
【０００７】
添付図面を参照して本発明の要旨を説明する。
【０００８】
衣服体１の袖部10に沿設状態にして収納袋部２を設け、この収納袋部２内に、少なくとも手全体を被覆し得る手袋体３を出し入れ自在に収納配設すると共に、この手袋体３は衣服体１の袖部10若しくは収納袋部２に対して連設状態に設け、この収納袋部２より取り出した手袋体３を、前記袖部10に通して袖口10Ａから露出する手に装着できるように構成したことを特徴とする手袋付衣服に係るものである。
【０００９】
また、前記収納袋部２を前記袖部10の手甲側に設けると共に、この収納袋部２の開口部２Ａを袖部10の袖口10Ａ近傍に設けて、この収納袋部２の収納奥側が袖部10の付け根側に配置する構成とし、前記手袋体３の裾部の手甲側部を、袖部10の手甲側部若しくは収納袋部２と連設したことを特徴とする請求項１記載の手袋付衣服に係るものである。
【００１０】
また、前記収納袋部２の開口部２Ａを開閉自在に構成し、開放したこの開口部２Ａを介して収納袋部２より前記手袋体３を出し入れし得るように構成したことを特徴とする請求項１，２のいずれか１項に記載の手袋付衣服に係るものである。
【００１１】
また、前記手袋体３又は、手袋体３と前記衣服体１の袖部10若しくは前記収納袋部２との連設部４を、伸縮性を有する構成としたことを特徴とする請求項１〜３のいずれか１項に記載の手袋付衣服に係るものである。
【００１２】
また、前記手袋体３を、前記衣服体１の袖部10若しくは前記収納袋部２に対して着脱可能とする着脱手段を備えたことを特徴とする請求項１〜４のいずれか１項に記載の手袋付衣服に係るものである。
【発明の効果】
【００１３】
本発明は上述のように構成したから、本発明の手袋付衣服を着用していれば、別個に手袋を携帯しておく必要がないし、手袋体を落として紛失するようなこともなく、手が寒い時は収納袋体から手袋体を取り出して手に装着するだけで、これまでの手袋同様に少なくとも手全体に確実な防寒機能が得られると共に、これまでの手袋同様のグリップ機能が得られることなり、しかも、手袋体不使用時は、袖部に沿設する収納袋部内に収納しておくことで手袋体が手作業の邪魔にならないし、普通の衣服と変わらない良好な体裁を確保できるので、手袋が不要な場合においても体裁を気にせずに本手袋付衣服を着用可能となるなど、極めて実用性に秀れた画期的な手袋付衣服となる。
【００１４】
また、請求項２記載の発明においては、収納袋部より取り出した手袋体を袖口から露出する手に装着できる構成を簡易に設計実現可能となる上、開口部より取り出した手袋体を手に装着し易いこととなり、しかも、手甲側に位置する手袋体と袖部若しくは収納袋部との連設部により、身体の外方（手甲側）から袖口や手袋体（の裾部）内へ雪や水や冷気などが入り込むことを阻止できるなど、一層実用性に秀れた構成の手袋付衣服となる。
【００１５】
また、請求項３記載の発明においては、開口部を閉塞することで、手袋体が確実に衣服体の外観上に露出しないので、普通の衣服と同様の良好な体裁を確実に発揮できることになる一層実用性に秀れた構成の手袋付衣服となる。
【００１６】
また、請求項４記載の発明においては、手袋体若しくは連設部が袖部若しくは収納袋部に対して伸縮するので、袖口から露出した手に対する手袋体の装着脱を容易に行えることとなる上、手袋体装着時に袖部と手袋体とが突っ張ることなく快適な装着感が得られることになるなど、一層実用性に秀れた構成の手袋付衣服となる。
【００１７】
また、請求項５記載の発明においては、例えば、手袋体を衣服体より分離してクリーニングするようなことも容易にできる一層実用性に秀れた構成の手袋付衣服となる。
【発明を実施するための最良の形態】
【００１８】
好適と考える本発明の実施形態（発明をどのように実施するか）を、図面に基づいて本発明の作用を示して簡単に説明する。
【００１９】
袖部10に沿設状態に設けられる収納袋部２内に、手袋体３を収納しておくことができるため、見た目は、普通の衣服と変わらない体裁となり、また、これにより手袋体３不使用時に手袋体３が（手作業を行う際の）邪魔となることもない。従って、手袋が不要な時でも、体裁等を気にせず本発明の手袋付衣服を着用することができる。
【００２０】
本発明の手袋付衣服を着用していると、手が寒い時は、収納袋体２から手袋体３を取り出して袖口10Ａから露出している手に装着することができ、この手袋体３が少なくとも手全体を被覆して手には確実な防寒効果が得られる。また、この手袋体３には、従来例のように掌部分に開口部を有しないため、手袋体３で物を握った時に掌部分がこれまでの手袋と同等のグリップ力を発揮する。
【００２１】
従って、本発明の手袋付衣服を着用していれば、別個に手袋を携帯しておかずとも必要に応じて手袋体３により手に防寒効果を得ることができる。
【００２２】
また、衣服体１の袖部10若しくは収納袋部２に連設する手袋体３は、落として紛失するようなこともない。
【００２３】
尚、請求項１中の「手」なる記載は、「素手」は勿論、「手袋を装着した手」をも含む意味合いで用いているもので、手袋を装着した手に対して用いる場合には、本発明の手袋体３は、手に対する防寒性を手袋以上に向上させるための所謂オーバーミトンとして機能する。
【００２４】
即ち、素手に装着した手袋の上から手袋体３を装着することもでき、これにより手袋（素手）の略全体に対して更に防寒性を向上させることができる。この構成は、特にスキーウェアやスノーボードウェアや冬山用登山服などに有効である。
【００２５】
この場合においても、従来のオーバーミトンのように、手袋とは別個に携帯しておくような手間がないし、落として紛失するようなこともない。
【００２６】
また、例えば、前記収納袋部２を前記袖部10の手甲側に設けると共に、この収納袋部２の開口部２Ａを袖部10の袖口10Ａ近傍に設けて、この収納袋部２の収納奥側が袖部10の付け根側に配置する構成とし、前記手袋体３の裾部の手甲側部を、袖部10の手甲側部若しくは収納袋部２と連設すれば、例えば、収納袋部２より取り出した手袋体３が袖口10Ａより袖延長外側に突出して、この手袋体３を袖口10Ａから露出する手に装着できる構成を簡易に且つコスト安に設計実現可能となり、しかも、この収納袋部２の開口部２Ａより取り出した手袋体３を袖口10Ａの袖延長外側に配して手に装着することも容易に行われることとなり、その上、手に手袋体３を装着した際、この手袋体３と袖部10若しくは収納袋部２との連設部４が手甲側に位置し、この連設部４によって身体の外方（手甲側）から袖口10Ａや手袋体３（の裾部）内へ雪や水や冷気などが入り込むことを阻止できることになるなど、一層実用的となる。
【００２７】
また、例えば、前記収納袋部２の開口部２Ａを開閉自在に構成し、開放したこの開口部２Ａを介して収納袋部２より前記手袋体３を出し入れし得るように構成すれば、収納袋部２内に手袋体３を収納して開口部２Ａを閉塞することで、手袋体３が確実に衣服体１の外観上に露出しないことになるので、普通の衣服と同様の良好な体裁を確実に発揮できることになる。
【００２８】
また、例えば、前記手袋体３又は、手袋体３と前記衣服体１の袖部10若しくは前記収納袋部２との連設部４を、伸縮性を有する構成とすれば、この手袋体３自身又は、手袋体３と衣服体１の袖部10若しくは収納袋部２との連設部４が伸縮性を有するため、手袋体３若しくは連設部４が袖部10若しくは収納袋部２に対して伸縮するので、袖口10Ａから露出した手に対する手袋体３の装着脱を容易に行えることとなる上、手袋体３装着時に袖部10と手袋体３とが突っ張って身体を動かすことに違和感を抱くようなことなく、快適な装着感が得られることになる。
【００２９】
また、例えば、前記手袋体３を、前記衣服体１の袖部10若しくは前記収納袋部２に対して着脱可能とする着脱手段を備えれば、例えば、着脱手段を介し手袋体３を衣服体１より分離してクリーニングするようなことも容易に行うことができ、一層実用的となる。
【実施例】
【００３０】
本発明の具体的な実施例について図面に基づいて説明する。
【００３１】
本実施例の衣服体１は、図１に示すように、コートを採用した場合を示している。
【００３２】
衣服体１の長袖部10に沿設状態にして収納袋部２を設け、この収納袋部２内に、手全体を被覆し得る手袋体３を出し入れ自在に収納配設すると共に、この手袋体３は収納袋部２に対して連設状態に設けている。
【００３３】
具体的には、図２中に想像線で示したように、衣服体１の両方の袖部10の手甲側の袖口10Ａ（袖先）付近に、この袖部10に沿設状態にして収納袋部２を内装している。
【００３４】
また、この収納袋部２の開口部２Ａを袖部10の袖口10Ａ近傍の外側面に形成して、この収納袋部２の収納奥側が袖部10の付け根側に配置する構成とし、図３に示すように、この開口部２Ａを介して収納袋部２より手袋体３を出し入れし得るように構成している。
【００３５】
また、この開口部２Ａにはファスナー５を設けて開閉自在に構成し、ファスナー５により簡単に開閉操作を行えるようにしている。よって、この開口部２Ａの開閉構造は、簡易に設計実現可能な構成であり、量産性に秀れる。尚、この開口部２Ａの開閉構造は、ファスナー５に限定するものではなく、例えば雌雄係合テープによる開閉構造やホックによる開閉構造やその他の開閉構造を採用しても良い。
【００３６】
尚、この収納袋部２には、手袋体３と同時に他の用品を収納したり、保温性を高めるために携帯用カイロなどの保温剤を収納したりすることもできる。
【００３７】
手袋体３は、手の五指が全て包まれると共に、手首までもが略完全に覆われる二本指タイプの既存のミトン手袋形に形成している。このように手首までもが略完全に覆われる手袋体３を採用すると、この手袋体３装着時に袖口10Ａからの雨や風の侵入を極力防止できることになる。
【００３８】
また、この手袋体３は、手首を被覆する部分に締付ベルト６を設け、この締付ベルト６を手首に締付ることによって手への装着状態を良好に保持できる構成としている。
【００３９】
また、例えば、手袋体の裾部にスリットを形成すると、手に対して装着し易くなる。
【００４０】
また、本実施例の収納袋部２と手袋体３との連設構造は、収納袋部２と手袋体３とを、連設部４を介して連設状態に設けている。
【００４１】
具体的には、前記手袋体３の裾部の一部に連設部４の一端部を連設し、他端部を前記収納袋部２内の前記開口部２Ａ近傍に連設している。また、この連設部４は、伸縮性を有する素材で構成している。
【００４２】
更に詳しくは、手袋体３の裾部のうち、手甲側の部位であって且つ手袋体３裾部全周の略半分位の範囲に連設部４としての伸縮性を有する布材の一端部を縫着して、この連設部４を手袋体３裾部の延長外側へ一体的に設け、この連設部４の延設端部（他端部）を収納袋部２内の前記開口部２Ａ近傍に縫着した構成としている。
【００４３】
従って、この収納袋部２と手袋体３との連設構造は簡易に設計実現可能な構成であり、また、上記したように収納袋部２（開口部２Ａ）を袖先付近に設けたため、連設部４は短い布材で部品コスト安に構成可能となる。
【００４４】
また、手袋体３裾部の手甲側であって、裾部全周の略半分程に連設部４が連設しているため、手に手袋体３を装着した際、この手袋体３と収納袋部２との連設部４が手甲側の広い範囲を覆うこととなって、この連設部４により身体の外方（手甲側）から袖口10Ａや手袋体３の裾部内へ雪や水や冷気などが入り込むことが阻止される構成としている。
【００４５】
また、連設部４が伸縮性を有するために、手袋体３装着時に袖部10が突っ張ったりすることなく良好な装着感が得られるように構成している。
【００４６】
また、本実施例では、手袋体３を、収納袋部２に対して着脱可能とする着脱手段を備えている。
【００４７】
この着脱手段については、詳しく図示していないが、例えば、前記連設部４にファスナーを設けるなどして連設部４を分離可能とするような簡易構成を採用すれば良い。従って、この着脱手段を介して手袋体３を衣服体１から容易に分離でき、これにより手袋体３のクリーニングなどを容易に行えるようにしている。
【００４８】
次に、本実施例の使用方法を説明する。
【００４９】
本実施例の手袋付衣服を着用しておく。
【００５０】
手袋体３を使用したい場合は、収納袋体２から手袋体３を取り出して袖部10の袖口10Ａより露出している手に装着すると、この手袋体３が着用者の手から手首までを被覆して防寒効果が得られる。
【００５１】
手袋体３を手から外したい場合は、手から既存の手袋を取り外すようにして手袋体３を取り外すことができる。
【００５２】
そして、連設部４を折り返し支点として手袋体３を略１８０度反転させ（手袋体３の指先側を手首側へ位置させ）た上、この指先側から手袋体３を収納袋部２内に収納してファスナー５を締めれば、手袋体３が完全に見えない状態で収納されることになる。
【００５３】
従って、手袋体３を収納しておくことでこの手袋体３が手作業を行う際の邪魔にならないし、見た目は普通の衣服と変わらない体裁となるため、手袋体３が不要な時でも体裁等を気にせず本手袋付衣服を着用することができる。
【００５４】
また、手袋体３を装着する時も、取り外す時も、手袋体３と収納袋部２とが連設部４を介して連設されているとはいえ、この連設部４が伸縮性を有するためにさほど抵抗とはならず、簡単に操作を行うことができる。
【００５５】
尚、実施例の手袋付衣服は、コート以外にも、例えば、スキー用、スノーボード用、登山用、ゴルフ用、バイク用、自転車用、釣り用、作業着など、様々な衣服に適用して手袋体３による防寒（防水）効果を発揮できる。
【００５６】
また、例えば、特にスキー用、スノーボード用の衣服（ウエア）等に適用した場合には、手袋体３をオーバーミトン（手袋の上に装着するミトン）として使用することも有効である。尚、本実施例の場合、手袋体３は従来のオーバーミトンと同様の構成であるから、このような使用方法も問題なく行える。即ち、本実施例の手袋体３は、既製の手袋の指先から裾部に至るまでの略全体を被覆し得るミトン形に構成している。このような使用方法とすることで、冬山で寒い時の更なる防寒対策となる上、単体のオーバーミトンを別個に携帯する必要もないし、落として紛失することもないなど、非常に実用的となる。
【００５７】
また、本実施例では、衣服体の袖部10の手甲側部に収納袋部２を設けた場合を示したが、袖部10の掌側部やその他の部位に収納袋部２を設ける構成としても良い。
【００５８】
また、本実施例では、袖部10の外側面に開口部２Ａを設けた場合を示したが、袖部10の内側面に開口部２Ａを設けても良いし、袖口10Ａの裾部に開口部２Ａを設けても良い。
【００５９】
また、本実施例の手袋体３は、二本指タイプのミトン形に構成した場合を示したが、人差し指が分離した三本指タイプのミトン形に構成しても良いし、ミトンではない五本指タイプの手袋体３を採用しても良い。
【００６０】
また、手袋体３には、ゴーグル・眼鏡等のくもりや水滴を除去するゴーグルブレード機能を持たせたり、防水機能を持たせたり、撥水機能を持たせたり、掌の部分にグリップの高い素材を採用してグリップ機能を持たせたり、保温素材で構成して更なる防寒機能を持たせても良い。
【００６１】
尚、本発明は、本実施例に限られるものではなく、各構成要件の具体的構成は適宜設計し得るものである。
【図面の簡単な説明】
【００６２】
【図１】本実施例を示す斜視図である。
【図２】本実施例の手袋体の収納状態を示す部分拡大説明図である。
【図３】本実施例の手袋体の使用状態を示す部分拡大説明図である。
【符号の説明】
【００６３】
１  衣服体
２  収納袋部
２Ａ  開口部
３  手袋体
４  連設部
10  袖部
10Ａ  袖口
【図１】
2005226185.tif 000003
【図２】
2005226185.tif 000004
【図３】
2005226185.tif 000005